(57)【要約】【課題】これまでの蓋体の製造工程に支障を来たすことがないとともに、急須本体に対する蓋体の載置位置も限定されることがなく片手でお茶を入れることができる新規な急須を提供する。【解決手段】上部に開口２ａが形成され側部には注ぎ口部４と把手５とが形成された急須本体２と、この急須本体２に形成された開口２ａを閉塞するとともに上部の中央には摘み部３ｂが形成された蓋体３と、を備え、上記把手５には、使用者の親指又は人差し指の先端側で上記蓋体３に形成された摘み部３ｂを急須本体２側へ押圧する際、同時に該親指の第一関節近傍又は人差し指の第二関節近傍を当接させる当接部５ｇが上記蓋体３の外周よりも該蓋体３の中央側に延設された部位に形成されてなる。【選択図】        図３
2008043654.tif 000002
【特許請求の範囲】
【請求項１】
上部に開口が形成され側部には注ぎ口部と把手とが形成された急須本体と、この急須本体に形成された開口を閉塞するとともに上部の中央には摘み部が形成された蓋体と、を備え、
上記把手には、使用者の親指又は人差し指の先端側で上記蓋体に形成された摘み部を急須本体側へ押圧する際、同時に該親指の第一関節近傍又は人差し指の第二関節近傍を当接させる当接部が上記蓋体の外周よりも該蓋体の中央側に延設された部位に形成されてなることを特徴とする急須。
【請求項２】
前記把手には、少なくとも使用者の人差し指と中指又は中指と薬指とにより把持可能な把持部を備えてなること特徴とする請求項１記載の急須。
【請求項３】
前記把手は、少なくとも使用者の人差し指と中指又は中指と薬指とが挿通できるようリング状に成形されてなることを特徴とする請求項１又は２記載の急須。
【請求項４】
前記リング状に形成された把手は、使用者の人差し指又は中指が挿通される空間と中指又は薬指が挿通される空間とが仕切り部により仕切られてなることを特徴とする請求項３記載の急須。
【発明の詳細な説明】
【技術分野】
【０００１】
本発明は、湯呑等の容器にお茶を入れる際に使用される急須に関し、特に、急須本体に形成された開口を閉塞する蓋体と、急須本体に形成された把手とを備えた急須に関するものである。
【背景技術】
【０００２】
急須の基本的構成は、お湯が充填される空間が内部に形成され上部には開口が形成され側部には注ぎ口が形成された急須本体と、上記開口を閉塞する蓋体と、上記急須本体の側部に形成された把手とからなる。上記急須本体に形成された開口は、上記蓋体が載置される内側フランジ部が形成されている。また、上記蓋体の上面中央には、該蓋体を上記内側フランジ部に載置する際及び該内側フランジ部に載置された蓋体を取り除く際に指で摘まれる摘み部が形成されている。したがって、急須本体内にお湯と茶葉とを充填し、注ぎ口からお茶を注ぐ際には、（右利きの使用者は）右手で上記把手を握るとともに、お茶を注ぐ際に蓋体が脱落することがないよう左手で上記摘み部を急須本体側に押圧しながら急須全体を傾ける。しかし、このように左手で摘み部を押圧する場合ばかりではなく、右手（片手）のみでお茶を注ぐ場合も日常的には多い。すなわち、中指や薬指で把手を握ると同時に、伸ばした人差し指の先端側で摘み部を押圧した上でお茶を注いだり、或いは、人差し指と中指で把手を握ると同時に親指の先端側で摘み部を押圧しながらお茶を注いだりする場合も多い。
【０００３】
ところが、このように片手でお茶を注ぐ際、比較的手指が長い使用者は可能であっても、例えば子供や女性等のような比較的手指が短い使用者には困難な場合が多く、こうした操作が可能な急須のニーズも多い。ちなみに、中国などで多用されている急須のように、全体の大きさが極めて小さい場合には比較的手指が短い使用者は上述した操作が可能であるが、こうした小さな急須を使用して小さな湯呑で少量のお茶を楽しむ文化は我が国では一般的ではない。そこで、こうした片手で操作可能な急須として、次に説明する二つのタイプの急須がこれまで実施されている。前者のタイプは、上記蓋体の中央に形成されていた摘み部を蓋体の外周側に偏芯して設けたものである。すなわち、摘み部の形成位置をこのように変更し摘み部と把手との距離を縮めることにより、片手でも蓋体を押圧しながらお茶を注ぐことができるようにしたものである。また、後者のタイプは、上記蓋体の中央に形成された摘み部とは別個に蓋体の上面から起立した凸部を設け、この凸部を親指又は人差し指で押圧しながら片手でお茶を注ぐことができるようにしたものである。
【発明の開示】
【発明が解決しようとする課題】
【０００４】
しかしなら、上述した二つのタイプの急須では、以下に説明する課題がある。前者のタイプに係る急須では、蓋体を成形し焼成した後に、前述した内側フランジ部上にがたつきがないように切削装置により切削する場合、摘み部が蓋体の中央に形成されていないため切削装置に対して蓋体を確実にチャッキングすることができず、これまで使用していた切削装置に代えて新たな装置を購入しなければならない。また、使用時においても、必ず摘み部と把手との距離が最も短いものとなるように上記蓋体を急須本体に載置しなければならず、極めて面倒である。また、後者のタイプに係る急須では、従来の摘み部以外に別個に凸部を設けなければならないばかりか、やはり上記前者のタイプの急須と同じように、凸部と把手との距離が最も短いものとなるように上記蓋体を急須本体に載置しなければならない。
【０００５】
そこで、本発明は、上述した従来の急須が有する課題を解決するために提案されたものであって、これまでの蓋体の製造工程に支障を来たすことがないとともに、急須本体に対する蓋体の載置位置も限定されることがなく片手でお茶を入れることができる新規な急須を提供することを目的とするものである。
【課題を解決するための手段】
【０００６】
上述した目的を達成するため、本発明（請求項１記載の発明）は、上部に開口が形成され側部には注ぎ口部と把手とが形成された急須本体と、この急須本体に形成された開口を閉塞するとともに上部の中央には摘み部が形成された蓋体と、を備え、上記把手には、使用者の親指又は人差し指の先端側で上記蓋体に形成された摘み部を急須本体側へ押圧する際、同時に該親指の第一関節近傍又は人差し指の第二関節近傍を当接させる当接部が上記蓋体の外周よりも該蓋体の中央側に延設された部位に形成されてなることを特徴とするものである。
【０００７】
この第１の発明に係る急須では、上記把手に形成された当接部に親指の第一関節近傍又は人差し指の第二関節近傍を当接させると同時に親指又は人差し指の先端側（腹の部分）を摘み部に当てやや急須本体側に押圧しながら傾けることにより、片手でお茶を湯呑等に注ぐことができる。
【０００８】
なお、この発明において、お茶を入れる用途に使用されるものであれば、土瓶又は鉄瓶若しくはポット等のように急須とは異なる名称が用いられているものも含まれる。したがって、上記急須を構成する急須本体及び蓋体の素材は、セラミック材料ばかりではなく、鉄や錫などの金属材料、樹脂材料、ガラス材料などであっても良い。また、この急須の大きさは特に限定されるものではないが、極めて小さく通常の把手を把持したままの状態で親指により蓋体に形成された摘み部を押圧できるものは含まない。また、上記把手の形状も上記当接部が形成されていれば特に限定されるものではない。
【０００９】
また、第２の発明（請求項２記載の発明）は、上記第１の発明において、前記把手には、少なくとも使用者の人差し指と中指又は中指と薬指とにより把持可能な把持部を備えてなること特徴とするものである。
【００１０】
また、第３の発明（請求項３記載の発明）は、上記第１又は第２の発明の何れかの発明において、前記把手は、少なくとも使用者の人差し指と中指又は中指と薬指とが挿通できるようリング状に成形されてなることを特徴とするものである。
【００１１】
なお、この第３の発明を構成するリング状とは、必ずしも把手全体が無端のリング状であるものばかりではなく、僅かな隙間（端部）を備えているものであっても良い。
【００１２】
また、第４の発明（請求項４記載の発明）は、上記第３の発明において、前記リング状に形成された把手は、使用者の人差し指又は中指が挿通される空間と中指又は薬指が挿通される空間とが仕切り部により仕切られてなることを特徴とするものである。
【発明の効果】
【００１３】
上記第１の発明（請求項１記載の発明）に係る急須では、把手には、使用者の親指又は人差し指の先端側で上記蓋体に形成された摘み部を急須本体側へ押圧する際、同時に該親指の第一関節近傍又は人差し指の第二関節近傍を当接させる当接部が上記蓋体の外周よりも該蓋体の中央側に延設された部位に形成されてなることから、この把手に形成された当接部に親指の第一関節近傍又は人差し指の第二関節近傍を当てると同時に親指又は人差し指の先端側（腹の部分の近傍）を摘み部に当てやや急須本体側に押圧しながら傾けることにより、お茶を湯呑等に注ぐことができ、この結果、比較的手の小さな子供や女性であっても、片手で蓋体が脱落しない状態でお茶を注ぐことができる。また、この第１の発明によれば、これまでの蓋体と同じように、摘み部の位置を変更するものではないことから、製造上の工程で支障が生ずることがないばかりではなく、さらに急須本体に対して蓋体を特定の位置に必ず載置するという面倒な事態を招くことがない。
【００１４】
また、第２の発明（請求項２記載の発明）では、把手には、少なくとも使用者の人差し指と中指又は中指と薬指とにより把持可能な把持部を備えてなることから、安定した状態で把手を把持することができる。
【００１５】
また、第３の発明（請求項３記載の発明）では、把手には、少なくとも使用者の人差し指と中指又は中指と薬指とが挿通できるようリング状に成形されてなることから、より使用者による把手の把持状態を安定化させることができるとともに、この把手を利用してフック等に係止させておくことも可能となる。
【００１６】
また、第４の発明（請求項４記載の発明）では、リング状に形成された把手には、使用者の人差し指又は中指が挿通される空間と中指又は薬指が挿通される空間とが仕切り部により仕切られてなることから、さらに一層把手の把持状態を安定的なものとすることができ、例えば握力の弱い老人や身体障害者であってもお茶を入れる際に急須を手から脱落させ破損してしまうような事態を緩和することもできる。
【発明を実施するための最良の形態】
【００１７】
以下、本発明を実施するための最良の形態に係る急須１を、図面を参照しながら詳細に説明する。先ず、第１の実施の形態に係る急須に付いて詳細に説明する。
【００１８】
この第１の実施の形態に係る急須１は、図１に示すように、急須本体２と、この急須本体２に形成された第１の開口２ａを閉塞する蓋体３とから構成されている。これら急須本体２と蓋体３とは、何れも同一のセラミック材料を用いて成形されてなるものであり、この急須本体２は、上部には円形状の第１の開口２ａが形成されている。また、上記急須本体２の上部よりやや下方の内側には、図２に示すように、蓋体３が載置される内側フランジ部２ｂが形成されている。また、この急須本体２の側部には図示しない第２の開口が形成されているとともに、該第２の開口を閉塞するように注ぎ口部４の基端が形成されている。この注ぎ口部４は基端側が広く先端側にかけて徐々に窄められてなるものであり先端には上記図示しない第２の開口と連通してなる注ぎ口４ａが形成されている。なお、図２に示すように、上記第２の開口は、急須本体２の内側に取り付けられた茶漉し網６により閉塞されている。
【００１９】
また、図１及び図２に示すように、上記急須本体２の側部であって上記注ぎ口部４が形成された位置とは反対側には、把手５が形成されている。この把手５は、急須本体２の側部に基端が固定されてなる固定部５ａと、この固定部５ａの上端に該固定部５ａと一体成形されてなりやや楕円形状となされたリング部５ｂとからなり、このリング部５ｂにより形成された空間は、一方の挿通空間５ｄと他方の挿通空間５ｅとに仕切り部５ｃを介して略均等に仕切られている。上記一方の挿通空間５ｄは、使用者の人差し指又は中指が挿通される部位であり、また、上記他方の挿通空間５ｅは、使用者の中指又は薬指が挿通される部位である。そして、このリング部５ｂの上部は、上記一方の開口５ｄに挿通された人差し指又は中指及び他方の開口５ｅに挿通された中指又は薬指と掌とにより把持される把持部５ｆであり、この把持部５ｆないしリング部５ｂの端部は上記急須本体２の外周面よりも該急須本体２の中心側（蓋体３の中心側）に延設されている。また、上記把持部５ｆの最も蓋体３側は、後述するように、使用者の親指の第一関節近傍又は人差し指の第二関節を当接させる当接部５ｇである。そして、この当接部５ｇは、急須本体２の上端外周よりも蓋体３の中心側に近接した位置に形成されている。なお、上記急須本体２の底部外周には、高台２ｈが形成されている。
【００２０】
また、上記蓋体３は、円形状の蓋本体３ａと、この蓋本体３ａの上面中央から起立してなる摘み部３ｂとから構成されている。上記蓋本体３ａは、やや皿状に成形され、また、この実施の形態に係る急須１において、上記摘み部３ｂは、四葉のクローバーの形状に成形され、中央は外周部分よりも下方に凹んでいる。
【００２１】
以下、上述した急須１の使用方法を簡単に説明する。先ず、図３に示すように、上記一方の挿通空間５ｄに人差し指Ｆ１（又は中指）を挿入するとともに他方の挿通空間５ｅに中指Ｆ２（又は薬指）を挿通して、掌（符号は省略する。）と上記人差し指Ｆ１及び中指Ｆ２（又は中指及び薬指）とで上記把持部５ｆを把持し（握り）、また、親指Ｆ３の第一関節近傍Ｆ４（又は人差し指の第二関節近傍）を上記当接部５ｇに当てながら該親指Ｆ３（又は人差し指）の先端側（腹の部分）Ｆ５で上記蓋体３に形成された摘み部３ｂを押圧する。この状態で、急須１の注ぎ口４ａが下向きとなるよう傾けると、上記急須本体２内に充填されたお茶Ｔが湯呑Ｇに注がれる。このとき、図３に示す状態よりも更に急須１全体を傾けても、上記蓋体３は、親指Ｆ３の先端側で急須本体２側に押圧されていることから、蓋体３が急須本体２から脱落することはない。
【００２２】
したがって、この実施の形態に係る急須１によれば、子供や女性のように、比較的手指が短い使用者であっても確実に片手でお茶Ｔを湯呑Ｇ等に注ぐことができる。そして、このように片手でお茶Ｔを注ぐことができるようにした構成は、従来の急須のように、蓋体に形成された摘み部の位置を蓋体の中央よりも偏芯した位置としたり、摘み部とは別個の押圧用の凸部を設けたりしたものではないことから、これまでの蓋体の製造工程に支障を来たすことがないとともに、急須本体２に対する蓋体３の載置位置も限定されることがない。特に、この第１の実施の形態に係る急須１では、上述したように、把手５の把持部５ｆを把持した状態において、人差し指Ｆ１（又は中指）は上記第１の挿通空間５ｄに、中指Ｆ２（又は薬指）は第２の挿通空間５ｅ内に挿通され位置決めされていることから、老人や身体障害者のように多少握力が弱い使用者が使用した場合であっても極めて安定した把持状態を確保することが可能となる。さらに、この実施の形態に係る急須１を構成する摘み部３ｂは、中央が凹んでいることから、親指Ｆ３の先端側Ｆ５で該摘み部３ｂを押圧する際、より安定した状態で該摘み部３ｂを押圧することができる。
【００２３】
因みに、上記急須本体２の製造工程では、先ず上記注ぎ口部４や把手５が形成されていない急須本体２を製造した後であって焼成する前段階において、上記注ぎ口部４や把手５を取り付ける工程をなし、その後に焼成されるものであることから、従来多用されている急須本体を構成する把手のみの成形型を新たに作成することのみによって上記急須本体２を製造でき、言うまでも無く蓋体３も新たに成形型を作成する必要性はない。したがって、上記急須１によれば、比較的安価に製造することができる。
【００２４】
なお、上記第１の実施の形態に係る急須１では、注ぎ口部４の形成位置と把手５の形成位置とにより形成される角度を１８０度とした（摘み部３ｂを間にして一方に注ぎ口部４を形成し他方に把手５を形成した）が、本発明では、図４に示す第１の実施形態の第１変形例のように、上記把手１５の形成位置と注ぎ口部４の形成位置とにより形成される角度を９０度とした急須１１としても良い。このように構成された急須１１による場合であっても上記急須１と同じ作用効果を実現することができる。
【００２５】
さらに、上記第１の実施の形態に係る急須１では、把手５を構成するリング部５ｂの内側が仕切り部５ｃにより仕切られているが、図５に示す第２変形例のように、該仕切り部５ｃを設けることなく、略楕円形状となされた単一の空間１５ａが形成されたリング部１５ｂを構成要素とする把手１５を設けた急須２１としても良い。こうした急須２１によれば、子供等のように手指が小さな使用者が使用する場合、人差し指や中指ばかりではなく薬指も上記リング部１５ｂ内に挿通することも可能となり、幅広い年齢層にも使い勝手の良い使用状態を確保することが可能となる。
【００２６】
次に、本発明の第２の実施の形態に係る急須３１に付いて説明する。この急須３１は、図６に示すように、急須本体３２と、蓋体３３とから構成されてなるものであり、急須本体２２には前述した第１の実施の形態に係る急須１と同じように、上部には図示しない第１の開口が形成され、側部には注ぎ口部３４が形成されている。なお、上記蓋体３３は摘み部３３ｂを備えており、この摘み部３３ｂ及び上記注ぎ口部３４の構成は、前述した第１の実施の形態に係る急須１と同じであることから説明を省略する。そして、この第２の実施の形態に係る急須３１では、上記急須本体３２の側部に把手３５が形成され、この把手３５は、急須本体３２の側部に基端が固定された固定部３５ａと、この固定部３５ａと一体成形されてなる把持部３５ｂとから構成されており、全体の形状は略Ｔ字状とされている。そして、上記把持部３５ｂは、上記固定部３５ａの先端から蓋体３３を構成する摘み部３３ｂ側に延設された一方の延設部３５ｃと、該固定部３５ａの先端から上記摘み部３３ｂ側とは反対方向に延設された他方の延設部３５ｄとから構成されている。そして、上記一方の延設部３５ｃの先端側は、急須本体３２の上端外周よりも蓋体３３の摘み部３３ｂ側に位置しており、該一方の延設部３５ｃの先端側上面は、使用者の親指Ｆ３の第一関節近傍Ｆ４（又は人差し指の第二関節近傍）により当接される当接部３５ｇとされている。
【００２７】
したがって、このように構成された急須３１によりお茶Ｔを注ぐ場合には、図７に示すように、人差し指Ｆ１及び中指Ｆ２（場合によっては薬指も）により（又は中指及び薬指により）上記把持部３５ａを把持し（握り）、親指Ｆ３の第一関節近傍Ｆ４（又は人差し指の第二関節近傍）を上記当接部３５ｇに当てるとともに該親指Ｆ３（又は人差し指）の先端側（腹の部分）Ｆ５により蓋体３３の摘み部３３ｂを押圧することにより、片手でお茶Ｔを湯呑Ｇに注ぐことができる。
【００２８】
なお、この第２の実施の形態に係る急須３１では、第１の実施の形態に係る急須１と同じように、注ぎ口部３４の形成位置と把手３５の形成位置とにより形成される角度を１８０度としたが、第１の実施形態の第１の変形例に係る急須１１と同じように、把手３５の形成位置と注ぎ口部３４の形成位置とにより形成される角度を９０度とした急須４１としても良い。
【００２９】
このように、上記第２の実施の形態に係る急須３１やその変形例に係る急須４１による場合であっても、当接部３５ｇの形成位置は、蓋体３３を構成する摘み部３３ｂに近接した位置とされていることから、比較的手指が短い使用者であっても片手でお茶Ｔを湯呑Ｇ等に簡単且つ安定した状態で注ぐことができる。
【図面の簡単な説明】
【００３０】
【図１】第１の実施の形態に係る急須の分解斜視図である。
【図２】図１に示す急須本体の平面図である。
【図３】図１に示す急須の使用状態を示す斜視図である。
【図４】図１に示す急須の第１の変形例を示す正面図である。
【図５】図１に示す急須の第２の変形例を示す正面図である。
【図６】第２の実施の形態に係る急須の側面図である。
【図７】図６に示す急須の使用状態を示す斜視図である。
【図８】第２の実施の形態に係る急須の変形例を示す急須の正面図である。
【符号の説明】
【００３１】
１    急須
２    急須本体
２ａ    第１の開口
３    蓋体
３ｂ    摘み部
４    注ぎ口部
４ａ    注ぎ口
５    把手
５ａ    固定部
５ｂ    リング部
５ｃ    仕切り部
５ｄ    一方の挿通空間
５ｅ    他方の挿通空間
５ｇ    当接部
１１    急須
１５    把手
２１  急須
３１  急須
３２    急須本体
３３    蓋体
３３ｂ    摘み部
３４    注ぎ口部
３４ｂ    注ぎ口
３５    把手
３５ｂ    把持部
３５ｇ    当接部
４１    急須
【図１】
2008043654.tif 000003
【図２】
2008043654.tif 000004
【図３】
2008043654.tif 000005
【図４】
2008043654.tif 000006
【図５】
2008043654.tif 000007
【図６】
2008043654.tif 000008
【図７】
2008043654.tif 000009
【図８】
2008043654.tif 000010